(57)【要約】【課題】基体等の外表面を傷付けることなく、基体に対して重合される重合片の重合状態を確実に保持することを目的とする。【解決手段】財布１０は基体１１に対して屈曲自在に備えられ、基体１１に対して折り重なる状態で重合可能とされる重合片１２を備える。重合される基体１１と重合片のそれぞれには、係合具１４が備えられ、該係合具１４は重合片１２の外表面に突設する被係合凸部１５と、基体１１に対して支持され、基体１１に対して重合片１２が重合された状態で被係合凸部１５と係合される係合レバー１９を備えた係合体１６にて形成される。【選択図】  図１
0003150300.tif 000002
【実用新案登録請求の範囲】
【請求項１】
財布、鞄などにおいて、布地、革材、ビニール地などからなる基体に対し、屈曲自在に備えられ、基体に対して折り重なる状態で重合可能とされ、基体と同様に布地、革材、ビニール地などにて形成される重合片にあって、重合される基体と重合片のそれぞれに備えられ、基体に対する重合片の重合状態を保持可能とする係合具であって、
基体に対し屈曲され、基体に対して重合される状態にあって重合片の外表面に、重合片から突設する状態で支持される被係合凸部と、
基体に対して重合片が重合された状態にあって、上記被係合凸部と対向する状態で基体に対し支持され、基体における重合片の重合対応位置に固着される固定部と、該固定部に支持される基軸に対して回動可能に支持され、基体に対して重合片が重合された状態において、重合片に備えられる被係合凸部に向けて基軸を中心に回動され、基体に対し重合された重合片の外表面を基体に対し押え付けるように被係合凸部と係合可能とし、一方、被係合凸部から離隔する状態に基軸を中心に回動させた状態において、被係合凸部に対する係合を解除し、基体に対し押え付けられていた重合片の重合を解除可能とする係合レバーと、からなる係合体と
を備えた係合具。
【請求項２】
係合レバーには、重合片に突設する状態で支持される被係合凸部を係合状態において係入可能とする係合凹部を備えることとしてなる請求項１に記載の係合具。
【請求項３】
被係合凸部と、固定部並びに係合レバーとからなる係合体は、それぞれ金属材にて形成される請求項１または請求項２のいずれかに記載の係合具。
【考案の詳細な説明】
【技術分野】
【０００１】
本考案は、財布、鞄などにおいて、布地、革材、ビニール地などからなる基体に対し、屈曲自在に備えられ、基体に対して折り重なる状態で重合可能とされ、基体と同様に布地、革材、ビニール地などにて形成される重合片にあって、重合される基体と重合片のそれぞれに備えられ、基体に対する重合片の重合状態を保持可能とする係合具に関する。
【背景技術】
【０００２】
一般に財布や鞄などにおいては、お金、書類、衣服などの収納部の収納口が備えられ、また、こうした収納口を被覆する重合片が備えられる。例えば、図７ないし図９に示す財布１においては、お金やカード類の収納部２Ａ、２Ｂ、３Ｃの各収納口３Ａ、３Ｂ、３Ｃが備えられる。また、この財布１には基体４に対し図７の矢印Ａ方向に屈曲自在とされる重合片５が備えられる。
【０００３】
すなわち、財布１の基体４並びに重合片５は、それぞれ布地、革材、ビニール地などを用いて形成され、図７ないし図９に示す従来例では基体４および重合片５を一体の合成皮革材を用いて形成され、図７のＢ線部分に係る屈曲線を中心に重合片５を基体４に対し、矢印Ａ方向に屈曲自在としている。
【０００４】
矢印Ａ方向に屈曲される重合片５は、基体４に対して折り重なる状態において、図８に示すように基体４に重合可能とされ、この状態において各収納部２Ａ〜２Ｃの収納口３Ａ〜３Ｃを重合片５により被覆することを可能としている。
【０００５】
ここで重合される基体４と重合片５のそれぞれには、図８に示す基体４に対する重合片５の重合状態を保持可能とする係合具６が備えられる。すなわち、図７ないし図９に示す従来の係合具６は、雌雄の一対のスナップ金具からなり、基体４には雌金具としての被係合体６Ａが、重合片５には雄金具としての係合体６Ｂが備えられる。係合具６による係合は基材４に対して重合片５を図７に示す状態から図８に示す重合状態に屈曲させ、係合体６Ｂを被係合体６Ａに係合させて行う。これにより、各収納口３Ａ〜３Ｃが重合片５により被覆され、基体４に対する重合片５の重合状態を保持させることが可能となり、併せて収納口３Ａ〜３Ｃの重合片５による被覆状態が保持されることとなる。
【０００６】
また、係合具６の係合体６Ｂを被係合体６Ａから係合解除することで重合片５を基体４から離隔する状態に回動させることが可能となり、図８に示す状態から図７に示す収納口３Ａ〜３Ｃの開放状態にすることが可能となる。
【特許文献１】特許平９−５６４３７
【考案の開示】
【考案が解決しようとする課題】
【０００７】
ところで、図７に示すようなタイプの財布１にあっては、係合具６の係合体６Ｂを被係合体６Ａに止着し、係合することとし、この際、重合片５の内側に取着される凸条の係合体６Ｂを目測により基体４に備えられる被係合体６Ａに位置合わせして止着していた。このため、図９に示すように被係合体６Ａから外れた位置に凸条からなる係合体６Ｂが矢印Ｃに示すように当接する場合が発生していた。こうした係合体６Ｂの基体４に対する当接が繰り返されると、例えば基体４の外表面に模様が描かれている場合、その模様が削り落ちる場合が発生していた。また、図７に示すように基体４が革材や布材からなる編み込みで形成される場合、編み込みが破壊するなどの不具合が生じていた。
【０００８】
本考案はこうした従来の不具合に着目してなされたものであり、基体等の外表面を傷付けることなく、基体に対して重合される重合片の重合状態を確実に保持することを目的とするものである。
【課題を解決するための手段】
【０００９】
上記課題を解決するため、本考案の請求項１は財布、鞄などにおいて、布地、革材、ビニール地などからなる基体に対し、屈曲自在に備えられ、基体に対して折り重なる状態で重合可能とされ、基体と同様に布地、革材、ビニール地などにて形成される重合片にあって、重合される基体と重合片のそれぞれに備えられ、基体に対する重合片の重合状態を保持可能とする係合具であって、基体に対し屈曲され、基体に対して重合される状態にあって重合片の外表面に、重合片から突設する状態で支持される被係合凸部と、基体に対して重合片が重合された状態にあって、上記被係合凸部と対向する状態で基体に対し支持され、基体における重合片の重合対応位置に固着される固定部と、該固定部に支持される基軸に対して回動可能に支持され、基体に対して重合片が重合された状態において、重合片に備えられる被係合凸部に向けて基軸を中心に回動され、基体に対し重合された重合片の外表面を基体に対し押え付けるように被係合凸部と係合可能とし、一方、被係合凸部から離隔する状態に基軸を中心に回動させた状態において、被係合凸部に対する係合を解除し、基体に対し押え付けられていた重合片の重合を解除可能とする係合レバーと、からなる係合体とを備えた係合具としている。
【００１０】
また本考案の請求項２は、係合レバーには、重合片に突設する状態で支持される被係合凸部を係合状態において係入可能とする係合凹部を備えることとしてなる請求項１に記載の係合具としている。
【００１１】
さらに本考案の請求項３は、被係合凸部と、固定部並びに係合レバーとからなる係合体は、それぞれ金属材にて形成される請求項１または請求項２のいずれかに記載の係合具としている。
【考案の効果】
【００１２】
本考案の請求項１によれば、基材に対して重合片に重合された状態において、重合片の外表面に、重合片から突設する状態で支持される被係合凸部に係合レバーが回動されて係合体が被係合凸部に係合されるため、基体や重合片の表面において係合具としての係合体が干渉することがなく、基体等の外表面を傷付けることなく、基体に対して重合される重合片の重合状態を確実に保持することができる。
【００１３】
また本考案の請求項２によれば、係合レバーの被係合凸部に対する係合状態において、係合レバーの係合凹部に対して被係合凸部が係入されるため、係合体の被係合凸部に対する係合が確実になされることとなる。
【００１４】
さらに本考案の請求項３によれば、被係合凸部と、固定部並びに係合レバーとからなる係合体は、それぞれ金属材にて形成されるため、壊れにくく、長寿命の係合具を提供することが可能となる。
【考案を実施するための最良の形態】
【００１５】
以下、本考案の最良の実施形態に係る係合具を図１ないし図６に基づいて説明する。実施形態に係る係合具は、図１ないし図３に示す財布１０に備えられ、この財布１０は、図３に示すように基体１１に対して矢印Ｄ方向に屈曲自在な重合片１２を備える。図３のＥ線部分に係る屈曲線Ｅを中心に矢印Ｄ方向に屈曲可能な重合片１２は、図３に示す基体１１に対する離隔状態において見られるように、内側にカード類の収納部１３Ａ、１３Ｂ、１３Ｃを備える。重合片１２は、図１に示すように屈曲線Ｅを中心に矢印Ｄ方向に屈曲させ、基体１１に対して折り重なる状態で重合可能とされる。こうした重合状態において、カード類の収納部１３Ａ〜１３Ｃを閉じ、外部に露出させないようにすることが可能となる。
【００１６】
財布１０の基体１１並びに重合片１２は、布地、革材、ビニール地などを用いて一体に形成され、図１に示すように屈曲線Ｅを中心に屈曲させた基体１１並びに重合片１２の外表面は、皮革材を編み込んだ状態で形成される。
【００１７】
ここで図１に示すようにして重合される基体１１と重合片１２のそれぞれには、基体１１に対する重合片１２の重合状態を保持可能とする係合具１４が備えられる。係合具１４は重合片１２側に備えられる被係合凸部１５と、被係合凸部１５に対して係合可能とされ、基体１１側に備えられる係合体１６とにより形成される。
【００１８】
被係合凸部１５は、図１に示すように基体１１側に対して屈曲され、基体１１に対して重合される重合片１２の外表面において、該外表面から長さＴ１だけ突設する状態で重合片１２に支持させる状態で備えられる（図６参照）。この被係合凸部１５は金属製からなり、重合片１２に対して固着する状態で支持される。
【００１９】
一方、係合体１６は、図１に示す基体１１に対して重合片１２が重合された状態にあって、上記被係合凸部１５と対向する状態で基体１１に対して支持され、係合体１６は図３に示すように基体１１における重合片１２の重合対応位置に固着される固定部１７と、該固定部１７に支持される基軸１８に対して矢印Ｆ方向に回動可能に支持される係合レバー１９とにより形成される（図３、図４参照）。
【００２０】
すなわち、係合体１６は図４に示すように固定ピン２０により固定部１７を基体１１に固着させて形成され、全体を金属材で形成するようにしている。係合レバー１９は、図４に示すように固定部１７の端部に配設される軸受部２１に支持される基軸１８を中心に矢印Ｆ方向に回動可能に支持される。係合レバー１９は、軸受部２１に備えられる係止片２２に矢印Ｇ方向での開放位置を規制され（図４、図５参照）、また軸受部２１において閉方向（矢印Ｈ方向）での回動端を図５に示す２点鎖線に示す位置に規制される（図５参照）。すなわち、係合レバー１９は両回動端の間を矢印Ｆ方向に回動可能とされる。
【００２１】
係合レバー１９は、基体１１に対して重合片１２が重合された状態において、重合片１２に備えられる被係合凸部１５に向けて基軸１８を中心に回動され、基体１１に対して重合された重合片１２の外表面を基体１１に対し、押え付けるように被係合凸部１５と係合可能とされる（図２、図６参照）。この係合状態において、係合レバー１９の被係合凸部１５との対向位置には係合凹部２３が備えられ、該係合凹部２３に被係合凸部１５を係入させ、重合片１２に突設する状態で支持される被係合凸部１５と係合レバー１９を相互に係合可能にしている。
【００２２】
ここで係合レバー１９は、被係合凸部１５と係合させた状態の係合レバー１９の閉方向での回動端が、軸受部２１において位置規制され、さらに被係合凸部１５は重合片１２の外表面よりＴ１だけ突設する状態で備えられるため、係合レバー１９は重合片１２の外表面と干渉することなく、被係合凸部１５と係合させることが可能となる。
【００２３】
一方、係合レバー１９は被係合凸部１５から離隔する状態に基軸１８を中心に回動させた状態において、被係合凸部１５に対する係合を解除し、これにより図１および図５に示すように基体１１に対して押え付けられていた重合片１２の重合が解除可能とされ、図３に示すようにカード類の収納部１３Ａ〜１３Ｃを外部に露出可能となるよう重合片１２を基体１１から離隔させるよう開くことが可能となる。
【００２４】
このように実施形態に係る係合具１４によれば、係合状態あるいは係合する際において係合レバー１９が基体１１や重合片１２の外表面に干渉せず、特に革材を編み込んで形成される重合片において、これら外表面を傷付けることがなく、基体１１に対して重合される重合片１２の重合状態を確実に保持させることが可能となる。また係合レバー１９は係合の際、係合凹部２３に係入されることとなり、係合が確実に行えることとなる。
【産業上の利用可能性】
【００２５】
以上のように、本考案に係る係合具によれば、重合片の基体に対する重合状態を保持し、重合に際して基体等の外表面を傷付けることもないので、様々なタイプの財布、鞄類において採用することが可能となる。
【図面の簡単な説明】
【００２６】
【図１】本考案の実施形態に係る係合具を備えた財布の全体斜視図である。
【図２】係合体としての係合レバーを被係合凸部に対して係合させた状態を示す図１と同様の斜視図である。
【図３】財布における重合片を基体から離隔させた状態を示す斜視図である。
【図４】図３のＩＶ−ＩＶ線に沿う断面図である。
【図５】図３のＶ−Ｖ線に沿い、係合レバーの開閉状態を説明するための断面図である。
【図６】図２のＶＩ−ＶＩ線に沿う断面図である。。
【図７】従来の財布等に備えられる係合具を示す斜視図である。
【図８】基体に対して重合片を重合させ、係合具を係合させた状態の財布を示す斜視図である。
【図９】図８のＩＸ−ＩＸ線に沿い重合片の基体に対する重合状態を示す端面図である。
【符号の説明】
【００２７】
１、１０            財布
２Ａ、２Ｂ、２Ｃ    収納部
３Ａ、３Ｂ、３Ｃ    収納口
４、１１            基体
５、１２            重合片
６、１４            係合具
６Ａ                被係合体
６Ｂ、１６          係合体
１３Ｂ、１３Ｃ      カード類の収納部
１５                被係合凸部
１７                固定部
１８                基軸
１９                係合レバー
２０                固定ピン
２１                軸受部
２２                係止片
２３                係合凹部
【図１】
0003150300.tif 000003
【図２】
0003150300.tif 000004
【図３】
0003150300.tif 000005
【図４】
0003150300.tif 000006
【図５】
0003150300.tif 000007
【図６】
0003150300.tif 000008
【図７】
0003150300.tif 000009
【図８】
0003150300.tif 000010
【図９】
0003150300.tif 000011